【手続補正書】
【提出日】平成28年11月15日(2016.11.15)
【手続補正１】
【補正対象書類名】特許請求の範囲
【補正対象項目名】全文
【補正方法】変更
【補正の内容】
【特許請求の範囲】
【請求項１】
椅子アセンブリであって、
上部と前記上部の下に位置する下部を画定する底部構造と、
前部と、
前記前部の後方に位置する後部を有する座部支持構造であって、
前記座部支持構造の前部は第１の旋回軸の周りの回転のために前記底部構造の上部に旋回可能に結合され、前記第１の旋回軸は前記座部支持構造及び前記底部構造に対して固定され、及びその上に座るユーザを支持するように構成される座部支持面を含む、座部支持構造と、
前部と前記前部の後方に位置する後部を有する背部支持構造であって、前記背部支持構造の前部は第２の旋回軸の周りの回転のために前記底部構造の下部に旋回可能に結合され、垂直位置とリクライニング位置の間で移動するように構成される上方に伸びる部分を含む、背部支持構造と、
第３の旋回軸の周りの回転のために前記座部支持構造の後部に旋回可能に結合される第１の端部、及び第４の旋回軸の周りの回転のために前記背部支持構造の後部に旋回可能に結合される第２の端部を有する制御リンクと、
を備える椅子アセンブリ。
【請求項２】
前記制御リンクの第１の端部は第１の垂直高さに位置し、及び前記制御リンクの第２の端部は第２の垂直高さに位置し、前記第１の垂直高さは前記第２の垂直高さより大きい、請求項１に記載の椅子アセンブリ。
【請求項３】
前記背部支持構造が前記垂直位置にある場合、前記第１の垂直高さは前記第２の垂直高さより大きい、請求項２に記載の椅子アセンブリ。
【請求項４】
前記背部支持構造が前記リクライニング位置にある場合、前記第１の垂直高さは前記第２の垂直高さより大きい、請求項２又は３に記載の椅子アセンブリ。
【請求項５】
前記背部支持構造に作動可能に結合される背部支持アセンブリであって、前記背部支持アセンブリは、湾曲を画定する前方に湾曲する腰部下部を有する柔軟シェル部材を備え、前記背部支持構造が前記垂直位置から前記リクライニング位置へ移動するにつれて、前記湾曲は増加する、背部支持構造を更に備える、請求項１〜４のいずれか１項に記載の椅子支持。
【請求項６】
座るユーザの背中を支持するように構成される概して前方に面する背部支持面を有する背部支持アセンブリであって、背部支持アセンブリが前記背部支持構造に作動可能に結合される、背部支持アセンブリを更に備える請求項１から５のいずれか１項に記載の椅子アセンブリ。
【請求項７】
前記第１の旋回軸と前記第２の旋回軸の間の距離は前記第３の旋回軸と前記第４の旋回軸の間の距離より大きい、請求項１から６のいずれか１項に記載の椅子アセンブリ。
【請求項８】
椅子アセンブリであって、
底部構造と、
第１の旋回軸の周りの回転のために前記底部構造へ直接旋回可能に結合され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記座部支持構造に作動可能に結合される第２の端部を有する制御リンクであって、前記背部支持構造が前記垂直位置から前記リクライニング位置へ移動するにつれて、前記背部支持構造のリクライニング速度より遅いリクライニング速度で前記座部支持構造をリクライニングさせる、制御リンクと、を備える椅子アセンブリ。
【請求項９】
前記背部支持構造が前記垂直位置から前記リクライニング位置へ移動するにつれて、前記座部支持構造のリクライニング速度は前記背部支持構造のリクライニング速度の約半分になる、請求項８に記載の椅子アセンブリ。
【請求項１０】
前記背部支持構造が前記垂直位置にある場合の前記背部支持構造の位置から約１８°にリクライニングする場合、前記座部支持構造は前記垂直位置にある場合の前記座部支持構造の位置から約９°リクライニングする、請求項８又は９に記載の椅子アセンブリ。
【請求項１１】
前記制御リンクの第１の端部は前記座部支持構造に旋回可能に結合され、前記制御リンクの第２の端部は前記背部支持構造に旋回可能に結合される、請求項８から１０のいずれか１項に記載の椅子アセンブリ。
【請求項１２】
前記制御リンクは長手方向に伸びる軸を含み、前記制御リンクの長手方向軸は、前記背部支持構造が前記垂直位置にある場合より、前記背部支持構造が前記リクライニング位置にある場合の方が本質的により垂直方向を向く、請求項８から１０のいずれか１項に記載の椅子アセンブリ。
【請求項１３】
前記制御リンクは、前記背部支持構造が前記垂直位置にある場合、前記座部支持構造と第１の角度を形成し、前記座部構造が前記リクライニング位置にある場合、第２の角度を形成する、長手方向に伸びる軸を含み、前記第１の角度は鋭角であり、前記背部支持構造が前記垂直位置と前記リクライニング位置の間で動くにつれて、前記制御リンクの軸は前記座部支持構造に対して本質的に垂直を超えては回転しない、請求項８から１２のいずれか１項に記載の椅子アセンブリ。
【請求項１４】
前記座部支持構造は前部と後部を含み、前記背部支持構造は前部と後部を含み、前記第１の旋回軸は前記座部構造の前部に位置し、前記第２の旋回軸は前記背部支持構造の前部に位置する、請求項８から１３のいずれか１項に記載の椅子アセンブリ。
【請求項１５】
前記制御リンクの第１の端部は前記座部支持構造の後部へ作動可能に結合され、前記制御リンクの第２の端部は前記背部支持構造の後部へ作動可能に結合される、請求項１４に記載の椅子アセンブリ。
【請求項１６】
椅子アセンブリであって、
底部構造と、
第１の旋回軸の周りの回転のために底部構造に直接旋回可能に結合され、前記第１の旋回軸は座部支持構造に対して固定され、その上に座るユーザを支持するように構成される座部支持面を含む、座部支持構造と、
第２の旋回軸の周りの回転のために前記底部構造に直接旋回可能に結合され、垂直位置とリクライニング位置の間で移動するように構成される上方に伸びる部分を含む、背部支持構造と、
前記座部支持構造に作動可能に結合される第１の端部と、前記背部支持構造に作動可能に結合される第２の端部を有する制御リンクと、
前記背部支持構造上にバイアス力を加え、及び前記背部支持構造を前記リクライニング位置から前記垂直位置へ向かってバイアスする、前記第２の旋回軸の周りにバイアストルクを加える少なくとも１つのバイアスアセンブリであって、前記背部支持構造が垂直位置にある場合、前記バイアストルクは第１の大きさと第２の大きさの間で調節可能であり、前記第２の大きさは前記第１の大きさより大きい、少なくとも１つのバイアスアセンブリと、
を備える椅子アセンブリ。
【請求項１７】
前記第１と第２の大きさの間で前記バイアストルクを調節するために、前記少なくとも１つのバイアスアセンブリへ作動可能に結合される調節アセンブリを更に備え、前記調節アセンブリは前記バイアストルクの第１の大きさに対応する第１の構成と前記バイアストルクの第２の大きさに対応する第２の構成の間で前記少なくとも１つのバイアスアセンブリを調節する、請求項１６に記載の椅子アセンブリ。
【請求項１８】
前記調節アセンブリは第１と第２の位置の間での可動入力部材の移動時に、前記バイアストルクの大きさを変化させる可動入力部材を含む、請求項１６又は１７に記載の椅子アセンブリ。
【請求項１９】
前記バイアストルクは前記バイアストルクの第１の大きさに対応する第１の形状と、前記バイアストルクの第２の大きさに対応する第２の形状の間を移動する弾性バイアス部材により生成される、請求項１６から１８のいずれか１項に記載の椅子アセンブリ。
【請求項２０】
前記弾性バイアス部材は第１の端部、第２の端部及び前記第１の端部と前記第２の端部の間で画定される長さを有するバネ部材を備え、前記バネ部材の長さの変化は前記バイアストルクの第１と第２の大きさの間で前記バイアストルクの大きさを変化させる、請求項１９に記載の椅子アセンブリ。
【請求項２１】
前記バネ部材の第１の端部は、前記底部構造、前記座部支持構造、前記背部支持構造及び前記制御リンクの少なくとも選択された１つへ作動可能に結合され、前記底部構造、前記座部支持構造、前記背部支持構造及び前記制御リンクの選択された１つに対する前記バネ部材の第２の端部の位置変化は、前記バイアストルクの第１と第２の大きさの間で前記バイアストルクを調節する、請求項２０に記載の椅子アセンブリ。
【請求項２２】
前記弾性バイアス部材は第１の方向へ前記可動入力部材に作用する力を発生させ、前記調節アセンブリは前記第１の方向に対して本質的に反対の第２の方向へ前記可動入力部材上に作用する補助力を加える補助機構を含み、これにより前記バイアス力を前記第１の大きさから前記第２の大きさへ調節するために、前記可動入力部材へユーザにより加えられるのに必要な入力の力を減少させる、請求項１９から２１のいずれか１項に記載の椅子アセンブリ。
【請求項２３】
前記補助機構はバネ部材を含む、請求項２２に記載の椅子アセンブリ
【請求項２４】
前記調節アセンブリは第１と第２のネジ付き部材を含み、前記第１のネジ付き部材の回転は前記第１と第２の大きさの間で前記バイアストルクを調節する、請求項１７から２２のいずれか１項に記載の椅子アセンブリ。
【請求項２５】
４本棒結合アームアセンブリをさらに備え、当該４本棒結合アームアセンブリは、
第１端と第２端を備える第１の結合部材と、
第１端と第２端を備える第２の結合部材と、
前記第１の結合部材の第１端と旋回可能に連結された第１端と、前記第２の結合部材の第１端と旋回可能に連結された第２端と備える第３の結合部材と、
前記第１の結合部材の第２端と旋回可能に連結された第１端と、前記第２の結合部材の第２端と旋回可能に連結された第２端と備える第４の結合部材とを備え、
前記４本棒結合アセンブリは、上昇位置と下降位置の間で調整可能な上端部及び下端部とを備えており、
その上に座るユーザを支持するように構成され、前記４本棒結合アセンブリ上端において支持されるアームレストアセンブリを備え、
前記４本棒結合アセンブリは、アーム支持構造から旋回可能に支持され、前記４本棒結合アセンブリの上端は、第１の位置と、前記第１の位置から横方向に外側に位置する第２の位置との間で移動可能である、請求項１６に記載の椅子アセンブリ。
【請求項２６】
前記座部支持面が前記底部構造により支持され、後退位置と伸長位置の間で長さ方向に移動可能であり、さらに、
ユーザの入力を受けとるよう構成された制御入力部材を含む駆動アセンブリと、前記制御入力部材に連結された駆動軸と、前記座部支持面に対して移動のために固定されるラック調整とを備え、
前記同軸が前記ラック調整に直接係合している、請求項１６に記載の椅子アセンブリ。
【手続補正２】
【補正対象書類名】明細書
【補正対象項目名】００４５
【補正方法】変更
【補正の内容】
【００４５】
作動において、ユーザは、ハンドル部３４６，３４６ｃの１つまたは両方を掴み、及び安らぎ部材２９８及び背部シェル２１６に沿って垂直方向にハンドルアセンブリ３４６，３４６ｃをスライドさせることにより、背部シェル２１６に対して腰部アセンブリ３００，３００ｃの相対垂直位置を調節する。停止タブ３５８は遠位端３６０内に一体成形され、安らぎ部材２９８のスリーブ３２４の端部壁と係合するように、それからオフセットされ、これにより安らぎ部材２９８のスリーブ３２４に対して腰部アセンブリ３００の支持部３２８の垂直下方移動を制限する。
【手続補正３】
【補正対象書類名】明細書
【補正対象項目名】００４８
【補正方法】変更
【補正の内容】
【００４８】
組み合わせにおいて、第１のポケット４０６（図３２Ａ）は、裁縫又はカバーアセンブリ４００が構成される材料に適した他の手段により、及び第１の内部空間４０８を画定するために、互いに前側４０２と後側４０４の各側端を取り付けることにより形成される。フラップ部４１０の端部は、次に後側４０４の下端部に固定される。図示される例において、背部シェル２１６とクッション部材３６２の組み合わせは、次に後側４０４（３２Ｂ）の開口部４１５を介して第１のポケット４０６の内部空間４０８に挿入される。椅子張りカバーアセンブリ４００はクッション部材３６２と安らぎ部材２９８の周りで伸ばされ、それを通して上方に伸びるフック部材４２４（図３３）を受容する複数の開口部４２０により安らぎ部材２９８へ固定される。代案として、開口部４２０がそれを通してＴ型取付け部材４２２も受容するように配置されるように、カバーアセンブリ４００は構成される。図示される例において、取付け部材４２２とフック部材４２４は安らぎ部材２９８と一体成形される。各取付け部材４２２は安らぎ部材２９８の後面３１０のリセス４２９内から垂直後方に伸びる第１の部分４２８を有するＴ型断面、又はボートクリート形状を備え、及び第１の部分４２８の遠位端に配置され、互いに反対方向にそれから外側に伸びる一対の第２の部分４３０を備える。第２の部分４３０の１つは第１の部分４２８と協働して角のある係合面４３２を形成する。リセス４２９はその周縁の周りの端部４３４を画定する。
【手続補正４】
【補正対象書類名】明細書
【補正対象項目名】０１００
【補正方法】変更
【補正の内容】
【０１００】
組み合わせにおいて、支持板９６６はアームレストハウジングアセンブリ９６２上に位置し、スライダハウジング９７２は支持板９６６上に位置し、これにより平坦部９７４の底面１００６は支持板９６６の上面１００８に摩擦的に隣接し、回転する直線調節部材９８０はスライダハウジング９７２の側壁９７８と端部壁９８０の間に位置し、これにより回転する直線調節部材の底面９８６はスライダハウジング９７２の平坦部９７４に摩擦で係合し、回転する選択部材９９４は回転する直線調節部材９８０上にある。リベット１０１０のような一対の機械式留め具は、回転選択部材９９４の開口部９９９、回転する直線調節部材９８０の弓型形状の開口部９９０、及び支持板９６６の開口部９６９を通して伸び、及びアームレストハウジングアセンブリ９６２にネジ止めで固定され、これによりアームレストハウジング９６２に関する直線運動に対して、支持板９６６、及び回転する直線調節部材９８０及び回転選択部材９９４を固定する。基板１００２及びアームパッド部材１００４は、次にスライダハウジング９７２に固定される。上記装置はスライダハウジング９７２、基板１００２及びアームパッド部材１００４を直線方向にスライドさせ、これによりアームレストアセンブリ８０４が後退位置Ｏと伸長位置Ｐの間で調節される。支持板９６６と回転直線調節部材９８０によりスライダハウジング９７２上に加えられる固定力を調節するように、リベット１０１０は調節される。基板１００２は中心に位置し、上方に伸びる上昇部１０２０及び一対の長手方向に伸びる側壁（表示なし）を有する対応する下向きに配置されるリセスを含む。各側壁は先に記載したリブ９９１及び戻り止め９９３に類似する複数のリブと戻り止めを含む。作動において、アームパッド１００４が直線方向に動くにつれて、旋回ボス９７０はリセスの戻り止めと係合し、これによりユーザに触覚フィードバックを提供する。図示される例において、旋回ボス９７０が戻り止めと係合するにつれて、旋回ボス９７０は旋回ボス９７０の端部を弾性的に変形させる溝１０２２を含む。これによりその損耗を削減する。回転する直線調節部材９８０の弓形開口部９９０は調節部材９８０を支持板９６６の旋回ボス９７０の周りで旋回させ、及びアームレストアセンブリ８０４を直線位置Ｍと曲げた位置Ｎの間で調節されるようにする。作動において、回転する選択部材の各指９９８の係合部１０００はリブ９９１の間に画定される戻り止９９２と係合し、これによりユーザが選択された回転位置におけるアームレストアセンブリ８０４を位置決めることを可能にし、アームレストアセンブリ８０４が回転調節されるにつれて、ユーザに触覚フィードバックを提供する。
【手続補正５】
【補正対象書類名】明細書
【補正対象項目名】０１０３
【補正方法】変更
【補正の内容】
【０１０３】
先の記載において、本発明の様々な構成及び要素の他の組み合わせが、車両シート、スタジアムシート、家庭用シート、劇場シートなどに、明細書に開示されたような本発明概念を適用するなど、本概念が開示される際に本概念から離れずに行われることは、当業者により容易に理解されるだろう。このような変更は、その言語によるこれらの請求項が明確に述べられていない限り、以下の特許請求の範囲に含まれると理解されるべきである。